(57)【特許請求の範囲】
【請求項１】
ケース部材内に設けられた回動可能な本体部と、
前記本体部に配置され、当該本体部の回動に伴って変位されることにより進入する遊技球を第１の方向と第２の方向のいずれか１方向に案内する案内部材と、
前記案内部材により前記第１の方向に案内された遊技球を受け入れ、受け入れた遊技球により前記本体部を付勢して回動させ前記案内部材を前記第２の方向へ案内するように変位させる第１の球受け部と、前記案内部材により前記第２の方向に案内された遊技球を受け入れ、受け入れた遊技球により前記本体部を付勢して回動させ前記案内部材を前記第１の方向へ案内するように変位させる第２の球受け部とを備えた回動部と、
前記本体部を回動可能に軸支する回動軸と、
前記案内部材が回動した場合に、その回動した姿勢を維持する姿勢維持手段とを備え、
前記ケース部材は、
遊技球を受け入れる開口部と、
前記開口部から前記第１の球受け部に受け入れられた遊技球を遊技盤上に排出する排出口と、
前記第２の球受け部に受け入れられた遊技球を遊技盤の裏面に移動させ入賞させる入賞口と、
前記第１の球受け部又は前記第２の球受け部に進入した遊技球の入賞若しくは排出を一時的に阻止し、且つ当該遊技球を前記回動部の回動を阻害する位置に保持する阻止手段と
を備えたことを特徴とする遊技球の振り分け装置。
【請求項２】
回動可能な本体部と、
前記本体部に配置され、当該本体部の回動に伴って変位されることにより進入する遊技球を第１の方向と第２の方向のいずれか１方向に案内する案内部材と、
前記案内部材により前記第１の方向に案内された遊技球を受け入れ、受け入れた遊技球により前記本体部を付勢して回動させ前記案内部材を前記第２の方向へ案内するように変位させる第１の球受け部と、前記案内部材により前記第２の方向に案内された遊技球を受け入れ、受け入れた遊技球により前記本体部を付勢して回動させ前記案内部材を前記第１の方向へ案内するように変位させる第２の球受け部とを備えた回動部と、
前記本体部を回動可能に軸支する回動軸と、
前記案内部材が回動した場合に、その回動した姿勢を維持する姿勢維持手段と、
前記第１の球受け部又は前記第２の球受け部に進入した遊技球の入賞若しくは排出を一時的に阻止し、且つ当該遊技球を前記回動部の回動を阻害する位置に保持する阻止手段とを備えたことを特徴とする遊技球の振り分け装置。
【請求項３】
前記阻止手段により回動が阻害された前記回動部の前記第１の球受け部及び前記第２の球受け部にそれぞれ遊技球が受け入れられ保持されたときに、さらにもう１つの他の遊技球を保持可能な保持手段を備え、
前記阻止手段が、前記第１の球受け部又は前記第２の球受け部に進入した遊技球の入賞若しくは排出の阻止を解除した場合に、
最初に前記阻止手段により入賞若しくは排出が阻止されていた遊技球が入賞若しくは排出され、
次に、前記第１の球受け部若しくは第２の球受け部に保持されていた他の遊技球が前記阻止手段により入賞若しくは排出が阻止されていた遊技球と異なる方向へ移動し、
前記保持手段により保持されていた遊技球は前記阻止手段により入賞若しくは排出が阻止されていた前記遊技球と同一方向に進入し、前記阻止手段により入賞若しくは排出が阻止されるように構成されたことを特徴とする請求項１又は２に記載の遊技球の振り分け装置。
【請求項４】
請求項１乃至３のいずれかに記載の遊技球の振り分け装置を備えた遊技機。
【発明の詳細な説明】
【０００１】
【発明の属する技術分野】
本発明は、遊技機において遊技球を第１の方向と第２の方向に振り分ける遊技球の振り分け装置に関する。
【０００２】
【従来の技術】
従来、遊技球の入賞率などを管理するために、遊技球の流下方向を制御する必要があり、そのためには、例えば、図７に示す遊技機の遊技領域３に設けられたような図柄始動ゲート１２の下側に障害釘１９を配し、障害釘１９を調整することにより流下する遊技球の流下方向を制御するようなものがあった。また、さらに安定した遊技球の流下方向を制御するため、例えば、図２６（ａ）〜（ｃ）に示す従来の振り分け装置のように、遊技領域３に配設された通過式の遊技球検出手段１１２の下側の流下する遊技球の流下経路に配置され、正面視略２等辺３角形状の板状の部材４７０の底辺に対向する頂点の中心近傍を左右方向へ揺動可能に揺動軸４７５で軸支して、軸支された頂点から左右の辺に沿って遊技球を案内する振り子状の遊技球の振り分け装置が設けられ流下する遊技球の流下方向を制御するようなものがあった。この振り分け装置は通過式の遊技球検出手段１１２の下部に配置された入賞口への入賞を所定の割合に制限するために用いられ、通過式の遊技球検出手段１１２を通過した遊技球は、図２６（ａ）に示すように振り分け装置４７０の傾きや、図２６（ｂ）に示すように遊技球の流下経路や、図２６（ｃ）に示すように遊技機自体の傾き等により案内される方向が決定され、このようにしていずれかの方向へ択一的に振り分けられて案内されると、１方向は入賞し易くもう１方向は入賞し難くしてあり、遊技球を一定の割合で振り分けることにより所望の入賞率を得ようとするようなものであった。このような遊技球の振り分け装置を用いれば、障害釘１９の調整による制御などに比較して遊技球の流下方向を制御しやすい。
【０００３】
【発明が解決しようとする課題】
しかしながら、従来の振り分け装置では、振り分けられる割合は、振り分け装置の頂点のいずれ側に遊技球が流下するかにより決定され、偶然性の要素が大きく安定した振り分けの割合を得ることが難しいという問題があった。
また、振り分け装置の上流の障害釘の調整等により振り分けられる割合が変動するため個々の遊技機により入賞率に差ができ不公平が生じるという問題があり、図２６（ｃ）に示す傾いた状態の従来の振り分け装置のように遊技機や振り分け装置自体の傾き等によっても１方向のみに遊技球が過大に振り分けられ、振り分け方向の割合が安定しない場合があった。そのため、予定する入賞率を達成できない場合も生じるという問題があった。
また、１方向に遊技球が連続して振り分けられる場合があり、例えば、第３種パチンコ機における第３種始動口のような入賞口に遊技球が連続して入賞すると遊技者に不利な処理をされる場合が生じ、遊技者に不快な思いをさせるという問題もあった。
この発明は上記課題を解決するものであり、遊技球を安定して一定の割合で振り分けられ、且つ同一方向に連続した振り分けがなされない遊技機の振り分け装置を提供することを目的とする。
【０００４】
【課題を解決するための手段】
上記課題を解決するため、請求項１に係る発明の遊技球の振り分け装置では、ケース部材内に設けられた回動可能な本体部と、前記本体部に配置され、当該本体部の回動に伴って変位されることにより進入する遊技球を第１の方向と第２の方向のいずれか１方向に案内する案内部材と、前記案内部材により前記第１の方向に案内された遊技球を受け入れ、受け入れた遊技球により前記本体部を付勢して回動させ前記案内部材を前記第２の方向へ案内するように変位させる第１の球受け部と、前記案内部材により前記第２の方向に案内された遊技球を受け入れ、受け入れた遊技球により前記本体部を付勢して回動させ前記案内部材を前記第１の方向へ案内するように変位させる第２の球受け部とを備えた回動部と、前記本体部を回動可能に軸支する回動軸と、前記案内部材が回動した場合に、その回動した姿勢を維持する姿勢維持手段とを備え、前記ケース部材は、遊技球を受け入れる開口部と、前記開口部から前記第１の球受け部に受け入れられた遊技球を遊技盤上に排出する排出口と、前記第２の球受け部に受け入れられた遊技球を遊技盤の裏面に移動させ入賞させる入賞口と、前記第１の球受け部又は前記第２の球受け部に進入した遊技球の入賞若しくは排出を一時的に阻止し、且つ当該遊技球を前記回動部の回動を阻害する位置に保持する阻止手段とを備えたことを特徴とする。
この構成に係る遊技球の振り分け装置では、ケース部材の開口部から入った遊技球を交互に第１の方向と、第２の方向に振り分けることができる。そのため、第１の球受け部に受け入れられた遊技球は排出口から遊技盤上に排出され、第２の球受け部に受け入れられた遊技球は、遊技盤の裏面に移動させ入賞させることができる。従って、確実に１／２の確率で遊技球の処理を行うことができる。また、同方向に連続して遊技球を流下させることもない。また、阻止手段を備えることで、遊技球の入賞を制御できる。また、遊技球を前記第１の球受け部又は第２の球受け部の所定位置に保持することで本体部の回動を規制し、更に遊技球が保持された球受け部以外の球受け部にも遊技球を進入させることができる。さらに、阻止手段により遊技球の入賞又は排出が阻止されなくなっても、遊技球が連続して同一方向に案内されることがなく、連続して処理されることによる遊技球の処理のトラブルを防止することができる。
【０００５】
【０００６】
【０００７】
【０００８】
【０００９】
請求項２に係る発明の遊技球の振り分け装置では、回動可能な本体部と、前記本体部に配置され、当該本体部の回動に伴って変位されることにより進入する遊技球を第１の方向と第２の方向のいずれか１方向に案内する案内部材と、前記案内部材により前記第１の方向に案内された遊技球を受け入れ、受け入れた遊技球により前記本体部を付勢して回動させ前記案内部材を前記第２の方向へ案内するように変位させる第１の球受け部と、前記案内部材により前記第２の方向に案内された遊技球を受け入れ、受け入れた遊技球により前記本体部を付勢して回動させ前記案内部材を前記第１の方向へ案内するように変位させる第２の球受け部とを備えた回動部と、前記本体部を回動可能に軸支する回動軸と、前記案内部材が回動した場合に、その回動した姿勢を維持する姿勢維持手段と、前記第１の球受け部又は前記第２の球受け部に進入した遊技球の入賞若しくは排出を一時的に阻止し、且つ当該遊技球を前記回動部の回動を阻害する位置に保持する阻止手段とを備えたことを特徴とする。
この構成に係る遊技球の振り分け装置では、遊技球を交互に第１の方向と、第２の方向に振り分けることができると共に、阻止手段を備えることで、遊技球の入賞を制御できる。また、遊技球を前記第１の球受け部又は第２の球受け部の所定位置に保持することで本体部の回動を規制し、更に遊技球が保持された球受け部以外の球受け部にも遊技球を進入させることができる。さらに、阻止手段により遊技球の入賞又は排出が阻止されなくなっても、遊技球が連続して同一方向に案内されることがなく、連続して処理されることによる遊技球の処理のトラブルを防止することができる。
【００１０】
請求項３に係る発明の遊技球の振り分け装置では、請求項１又は２に記載の遊技球の振り分け装置の構成に加え、前記阻止手段により回動が阻害された前記回動部の前記第１の球受け部及び前記第２の球受け部にそれぞれ遊技球が受け入れられ保持されたときに、さらにもう１つの他の遊技球を保持可能な保持手段を備え、前記阻止手段が、前記第１の球受け部又は前記第２の球受け部に進入した遊技球の入賞若しくは排出の阻止を解除した場合に、最初に前記阻止手段により入賞若しくは排出が阻止されていた遊技球が入賞若しくは排出され、次に、前記第１の球受け部若しくは第２の球受け部に保持されていた他の遊技球が前記阻止手段により入賞若しくは排出が阻止されていた遊技球と異なる方向へ移動し、前記保持手段により保持されていた遊技球は前記阻止手段により入賞若しくは排出が阻止されていた前記遊技球と同一方向に進入し、前記阻止手段により入賞若しくは排出が阻止されるように構成されたことを特徴とする。
この構成に係る遊技球の振り分け装置では、第１の球受け部と第２の球受け部に保持された遊技球に加え、さらにもう１つの遊技球を保持して、連続して処理をすることができる。また、この場合に同一方向に連続して遊技球が案内されることがなく、同一方向に案内される遊技球の処理に一定の時間的間隔ができるため、これらの遊技球についてそれぞれ異なった処理を確実にすることができる。
【００１１】
請求項４に係る発明の遊技球の振り分け装置を備えた遊技機では、請求項１乃至３のいずれかに記載の遊技球の振り分け装置を備えたことを特徴とする。
この構成に係る遊技球の振り分け装置を備えた遊技機では、請求項１乃至３のいずれかに記載された遊技球の振り分け装置の特徴を生かした遊技機が実現できる。
【００１２】
【発明の実施の形態】
（第１の実施の形態）
以下、本発明に係る遊技球の振り分け装置及び遊技球の振り分け装置を備えた遊技機の好ましい第１の実施の形態である遊技機１に基づいて、添付図面を参照して説明する。
【００１３】
図１は、第１の実施の形態の遊技機１の正面全体を示す図である。以下、図１に沿って遊技機１の構成の概略を説明する。図１に示すように、遊技機１は、所謂第３種パチンコ機として構成されており、正面側全面を覆う前面枠４と、上部に配設された遊技領域３とを備え、遊技領域３は、開閉自在のガラス枠５により覆われ、その下側には遊技球の供給と賞球の払い出しに用いる上皿６と下皿７を備え、正面右下部には、遊技球を発射するための操作ハンドル８を備える。
【００１４】
図２は、第１の実施の形態の遊技機１の遊技領域３を示す図である。図２に示すように、遊技領域３は、正面から見て下方から左方を通り右上部に続く円弧状の外レール１５に囲まれ、外レール１５からゴム部材１７を挟んで右上方から右側を通って下方からさらに左方の外レール１５の内側に同心円上に連続した内レール１６が配置される。内レール１６の最下部内側には、入賞されなかった遊技球が遊技領域３から排出されるアウト孔１４が設けられている。
【００１５】
遊技領域３には、多数の障害釘１９が植設され、その間に電飾風車１３ａ，１３ｂ、風車１３ｃ，１３ｄが配置され、発射された遊技球の挙動に変化を持たせるように構成されている。そして、複数の通常の入賞口１８ａ〜１８ｅが配設され、ここに遊技球が入賞することにより、図示しない払出装置により賞球が上皿６（図１参照）に払い出され、装飾ランプ１０ａ，１０ｂや音声装置（図示せず）により入賞を報知し、持ち玉の減少を少なくすると共に遊技に変化を持たせ遊技者の気持ちを盛り上げる。装飾ランプ１０ａ，１０ｂや音声装置は、通常の入賞口への入賞のみならず、後述する図柄表示装置１１の図柄が変動しているときや、その他の時にも適宜作動して、遊技者の気持ちを高める。
【００１６】
遊技領域３の略中央部には図柄表示装置１１が設けられている。遊技機１においては、図柄表示装置１１は、その内部にカラー液晶画面により画像が表示可能な図柄表示部１１１が備えられ、図示しない制御部により制御される。例えば、画面の上部半分を縦に３分割して左側を画面Ｌ１、中央を画面Ｌ２、右側を画面Ｌ３とすると、分割された画面Ｌ１，Ｌ２，Ｌ３をそれぞれ上下方向にスクロールすることにより表示画面を変動させて、所定時間（例えば８秒）経過後、左側Ｌ１、右側Ｌ３、中央Ｌ２の順に分割した画面のスクロールを順次停止して、３分割した示画面Ｌ１，Ｌ２，Ｌ３に表示された図柄が同一であるなど特定図柄になれば（例えば、１から１２までの数字を用い、１−１−１、７−７−７等のように）、当たりとする抽選の表示を行う。このとき、左側Ｌ１と右側Ｌ３の画面が一致した段階で、中央の画面Ｌ２の変動時間を延長して遊技者の興味を惹いたりする所謂リーチアクション等を行ったり、その他の動画や文字による各種メッセージを表示することができる。なお、ここでの抽選で特定図柄が揃い当たりとなると、普通電動役物６０が作動する。
【００１７】
図柄表示部１１１の略垂直下方には、図柄始動ゲートと入賞口の機能を兼ね備える振り分け装置７０が配設されている。
図３は、第１の実施の形態において振り分け装置７０を図２における正面右上方向から見た斜視図である。従って、図３の左下手前方向が遊技機１の正面側、右上向こう側が遊技機１の裏側に当たる。振り分け装置７０は、取付基板８３の正面側にカバー７７が配置され、その上部に遊技球検出センサ９１が配置されて構成される。
【００１８】
遊技球検出センサ９１は、振り分け装置７０の上部に配置され、遊技球が通過可能な開口部を備えて構成される。遊技球検出センサ９１の裏側方向に配線用のコード９２が接続され、図示しない遊技機１裏面の制御部に配線されている。遊技球検出センサ９１は、電磁誘導型の無接触の通過センサからなり、鋼球である遊技球が開口部又は開口部近傍を通過すると磁界の変化により、その通過を検出するものである。
【００１９】
カバー７７は、遊技球検出センサ９１の下部に配置され、高強度の合成樹脂から形成され、正面側に略円形の正面パネル７７ａと側面に略円筒形の側面パネル７７ｂとを備えた略円柱形に構成される。ここで、図４は、カバー７７のみを図２における裏面左上方向から見た斜視図である。図４に示すように、このカバー７７の裏面は、開放されており、側面パネル７７ｂの上部は、遊技球検出センサ９１の開口部と連通した開口部７８が開口される。また、側面パネル７７ｂの図４における手前側、即ち正面から見て左方向に遊技球の排出口７９が開口されている。正面パネル７７ａの裏面の略中央には、回動軸７５（図５参照）を軸支するための軸受け８１が穿設されている。軸受け８１の下方には永久磁石からなる磁石８２が配設されている。そして、側面パネル７７ｂの裏面側には、取付基板８３に接着する場合の位置決め用のボス８０ａ，８０ｂ，８０ｃ，８０ｄが設けられている。
【００２０】
次に図５は、振り分け装置７０を図２における正面右上方向から見た分解斜視図である。図５に示すように、カバー７７の内部には、回動部７１が配設されている。回動部７１の本体部７１ａは、図５に示すような断面形状が遊技球の外径のおよそ３倍の直径を持つ円の一部からなる三日月状で、その高さが遊技球の外径よりやや高い柱体の形状に形成される。本体部７１ａは、貫通孔７１ｂの部分を除き内部が中空に形成され、裏面方向は開放している。
【００２１】
本体部７１ａの側面の凹面部分の略中央には、回動軸７５を含む平面上に半径方向に本体部７１ａと一体に突設された側面視が略矩形壁状の部材である案内板７２を備える。案内板７２の両面と本体部の７１ａとに囲まれる部分には、案内板７２を上側に回動したとき、正面から見て案内板７２の左側に第１の球受け部７３が形成され、案内板７２の右側には第２の球受け部７４が形成される。なお、回動部７１は、左側の第１球受け部７３は、傾斜したときに、遊技球を排出口７９から排出できるように外側に向かって下がっているが（図６（ｃ）参照）、右側の第２球受け部７４は、傾斜したときに遊技球を入賞口６８に案内できるように外側が若干上向きになり遊技球を受けることができる形状になっている（図６（ａ）参照）。従って、厳密に言えば、回動部７１全体は、案内板７２及び回動軸７５を含む平面について完全に対称な形状ではないが、概ね対称形に形成され、それぞれ略対称の部分の質量も略同じである。そのため、回動軸７５により自由な状態で軸支した場合は、質量の小さい案内板７２は上向きに垂直になり、質量の大きい本体部７１ａは案内板７２の下方に位置して安定する。
【００２２】
第１の球受け部７３と第２の球受け部７４（以下球受け部７３，７４と適宜略記する。）は、それぞれ遊技球を保持しやすいように遊技球の外径に合わせた保持部分を備えた形状になっている。そしてここに遊技球を保持した場合には、カバー７７の側面パネル７７ｂと干渉しないで回動できるようになっている。
【００２３】
本体部７１ａの正面側には、それぞれの回動方向に最大限に傾動した場合に、前述のカバー７７に設けられた磁石８２と相対する位置に、磁石７６ａ，７６ｂが配設される。この磁石７６ａ，７６ｂは、それぞれカバー７７の磁石８２と相対した場合に、磁力により引きつけられるように極性が合わせられる。又、その時の吸引力の強さは、遊技球と無関係に傾動させた場合にその位置を維持するのには十分な強さであって、遊技球が球受け部７３，７４に受け入れられた場合には回動部７１が回動可能な強さに調整されている。
【００２４】
この回動部７１は、一端をカバー７７側の軸受け８１（図４参照）に、他の一端を取付基板８３の軸受け８８に軸支された回動軸７５により、案内板７２の基部近傍の本体部７１ａに穿設された貫通孔７１ｂに貫通されて回動自由に支持されている。
【００２５】
取付基板８３には、その正面側の下部に配設され、回動部７１の本体部７１ａの内側に位置して回動部７１が一定角度以上傾動すると、その一部が当接することによりその傾動を規制する規制部８４が設けられる。本実施の形態においては、規制部８４の形状は本体部７１ａの中空部分の外周方向の形状に合わせた円弧状の突起状に形成されている。そのため、カバー７７の側面パネル７７ｂ内側と当該規制部８４により、本体部７１ａを両側から挟み込み、上下方向に移動するのを規制する機能も併せて有する。なお、回動部７１の傾動角度の規制のみを行う規制部であれば、第１の実施の形態の規制部８４のような弧状のものでなくても、規制部８４の両端部に相当する位置にそれぞれ配置された突起部を設けるようにしてもよい。
【００２６】
取付基板８３の上部には、遊技球検出センサ９１を載置して固定する裏面側に突出した矩形の台状の面であるセンサ固定部８９が形成される。このセンサ固定部８９の先端には、位置決め用の突起部が設けられている。また、正面から見て右側中央部分には、振り分け装置７０が遊技盤９に組み付けられたときに（図２参照）、遊技盤９に穿設されている入賞用の孔に対応し、遊技球を遊技盤９の裏面に移動させ入賞させるための入賞口８６が穿設され、さらにこの入賞口８６から遊技機１の裏面に遊技球を案内する上部が開放した半割円筒状の樋状の球経路８７が架設されている。
【００２７】
また、取付基板８３の左右の端部には、取付基板８３を半円状に突出させて拡大し、その中央部にネジ止め用の孔を穿設して形成された係止孔８５ａ，８５ｂが配設されている。この係止孔８５ａ，８５ｂにより取付基板８３が遊技機１の遊技盤９にネジ止めされる。また、カバー７７を組み付けた時に、カバー７７に備えられたボス８０ａ，８０ｂ，８０ｃ，８０ｄ（図４参照）にそれぞれ対応する位置に、ボス８０ａ，８０ｂ，８０ｃ，８０ｄが嵌入するボス孔９０ａ，９０ｂ，９０ｃ，９０ｄが穿設されている。
【００２８】
このように構成された振り分け装置７０により、（その作用は後に詳述する）、振り分け装置７０に流入した遊技球は、すべて通過を検知されるとともに、遊技球が１つおきに入賞し、入賞できなかった遊技球は排出口７９（図４参照）より排出される。また、入賞の数に応じた賞球が払い出されるのは、他の入賞口１８ａ〜１８ｅと同様である。
【００２９】
再び図２に沿って説明を続ける。上記のように構成された振り分け装置７０に遊技球が流入すると、遊技球検出センサ９１（図３参照）を通過し、図示しない制御部が遊技球の通過を検出し、従来の通過ゲートと同様の機能を果たす。制御部が遊技球の通過を検知すると抽選が行われ、その結果に基づいて前述の図柄表示装置１１の画面Ｌ１，Ｌ２，Ｌ３の変動が開始され予め定められた所定の図柄が表示される。
【００３０】
なお、図柄変動中に振り分け装置７０に、図柄変動中に遊技球が連続して流入した場合は、最高４個まで入賞を記憶しランプ１１２ａ，１１２ｂ，１１２ｃ，１１２ｄが保留されている入賞球の数に応じて点灯することにより、点灯数で保留されている入賞数を遊技者に知らせる。このとき、入賞時に既に変動している図柄の変動が終了すると、図柄は一旦停止して、次の図柄変動が開始される。そして、保留されているランプ１１２が１つ消灯する。
【００３１】
この振り分け装置７０のさらに略垂直下方には、普通電動役物６０が設けられている。普通電動役物６０は、盤面に平行で水平な回動軸にその下部が軸支された扉６１が枢着されており、扉６１は略垂直な閉成状態と、扉６１の先端部を前方に展開した開成状態とに変位する。閉成状態は遊技球が入賞できない状態で、開成状態になれば、大きな開口部（図示せず）が現れ、直接あるいは前方に展開した扉６１に遊技球が案内され開口部に遊技球が容易に流入しやすくなる。普通電動役物６０の開口部の中央部には、第３種パチンコ機でいう特別装置作動領域（所謂Ｖゾーン）である特定領域６３が設けられる。
【００３２】
特定領域６３を遊技球が通過して普通電動役物６０の開口部に流入すると、特定領域６３を通過した遊技球の球経路に配設された図示しない遊技球検出センサにより遊技球の通過が検出され、図示しない制御部により「権利発生状態（特別遊技状態）」に設定され権利が発生する。なお、権利が発生する前及び権利発生状態が終了した状態をここでは「通常状態」と呼ぶことにする。特定領域６３以外の開口部も、通常の入賞口と同様入賞球を受け入れ、図示しない球経路に配設された遊技球検出センサにより遊技球の入賞が検出され、図示しない払出装置により上皿６（図１参照）に賞球が払い出される。
【００３３】
一方、普通電動役物６０が開成状態になって開口部に遊技球が入賞しても、遊技球が特定領域６３を通過しない場合は、通常状態のままであり、入賞球の数に応じた賞球の払い出しが行われるだけで、図示しない制御部は、普通電動役物６０の開成状態の開始からその継続時間を測定し、所定時間（例えば６秒）を経過することで、普通電動役物６０を開成状態から閉成状態に変位させる。
【００３４】
第３種パチンコ機である第１の実施の形態の遊技機１では、図２に示すように、遊技領域３の右側の略中央部に、第３種始動口２０が設けられ、その略垂直下方には、第３種特別電動役物である大入賞口３０が設けられている。この第３種始動口２０と大入賞口３０とが第３種パチンコ機の入賞装置を構成する。
【００３５】
図２に示すように、第３種始動口２０は、上部に遊技球が流入可能な開口部２４が設けられ、前面には回転体２１が設けられ、回転体２１は遊技球を１個保持する案内部２２を持ち、１０秒で正面から見て右回転（時計回り）に１回転するように構成されている。回転体２１は駆動軸（図示せず）を介して、遊技盤９の裏側に配設されたステッピングモータ（図示せず）によりダイレクトに駆動される。ステッピングモータは、図示しない駆動回路からパルス電流により駆動されるため、正確に回転体２１を１０秒で１回転させる。
【００３６】
ここで、回転体２１の作用を説明すると、図２に示すように、第３種始動口２０の上方には開口部２４が開口されており遊技球の流入が可能になっている。この開口部２４から遊技球が流入すると回転体２１の上部に進入し、このとき図２に示すように回転体２１の案内部２２が回転体２１中心から見て鉛直上向きの方向にある場合（この位置を開口位置という。）には、遊技球は案内部２２まで進入し、保持される。案内部２２に保持された遊技球は、正面から見て右回り（時計回り）に回転する回転体２１の回転に伴って搬送される。
【００３７】
なお、第３種始動口２０の開口部２４から流入した遊技球は、回転体２１の案内部２２が開口位置以外の位置にあるときは、案内部２２に遊技球が進入できないので、回転体２１の案内部２２以外の部分に載置されて待機させられるが、回転体２１が回転してもその位置は開口部２４に保持されているので変化しない。そして、回転体２１が回転し案内部２２が開口位置になったとき、載置された遊技球が案内部２２に進入し、以後上記のように処理される。即ち、開口部２４から遊技球が流入し案内部２２に進入するまで、最長１０秒近くの時間待機させられる場合があることになる。
【００３８】
案内部２２の開口位置から５秒経過すると、回転体２１が１８０度回転して、遊技球を伴った案内部２２は回転体２１の中心の鉛直下方（このときの位置を入賞位置と呼ぶ。）に移動している。この入賞位置では、案内部２２の裏面に当たる遊技盤９には、遊技球を入賞させる球経路（図示せず）が穿設されており、案内部２２に保持されていた遊技球は、案内部２２を脱出し、球経路に進入し、ここに設けられた遊技球検出センサ（図示せず）により遊技球の入賞が検出される。
【００３９】
この案内部２２が入賞位置にあるときから、案内部２２が開口位置になるまでには５秒経過し１８０度回転する必要がある。また、次に第３種始動口２０に入賞すべき遊技球が回転体２１の上に載置されて準備されていれば、案内部２２が開口位置になれば直ちに案内部２２に遊技球が保持され、ここから更に５秒経過しなければ次の遊技球が第３種始動口２０に入賞できない。即ち、最短時間でも、先の遊技球が入賞した時点から１０秒経過しなければ次の遊技球が入賞できないことになる。そのため、１０秒間隔より短く第３種始動口２０に遊技球が連続して入賞することがない。
【００４０】
図１３は、大入賞口３０が開成状態の第２の実施の形態の遊技機１０１（図７参照）の入賞装置を正面から見た図である。また、図１４は、図１３におけるａ１−ａ１部分での断面図である。図１５は、大入賞口３０が閉成状態の遊技機１０１の入賞装置を正面から見た図である。また、図１６は、図１５におけるｂ１−ｂ１部分での断面図である。後述する本発明の第２の実施の形態に係る遊技機１０１の大入賞口は、本第１の実施の形態の遊技機１の大入賞口３０と共通するものであるため共通の符号を用い、以下この第２の実施の形態の遊技機１０１を説明する図１３、図１４、図１５、図１６を用いて遊技機１の大入賞口３０について説明する。
【００４１】
図１３及び図１４に示すように、大入賞口３０には、左右に開放する一対の対称形の爪状の部材により所謂チューリップに形成された左開閉部材３１ａ，右開閉部材３１ｂ（以下適宜まとめて開閉部材３１という。）が備えられる。左開閉部材３１ａ，右開閉部材３１ｂは、盤面に垂直な左回動軸３５ａ，右回動軸３５ｂによりそれぞれ軸止され、図１５に示すような開閉部材３１の先端を略上方に向けて遊技球の入賞を拒絶する閉成状態と、図１３に示すように開閉部材３１の先端を左右に展開して遊技球の入賞を許容する開成状態とに回動して変位する。開閉部材３１が閉成状態にある場合でも、開閉部材３１の上端部間の距離は、遊技球の直径程度間隔が開けられているので、閉成時に遊技球が入賞しないように左開閉部材３１ａ，右開閉部材３１ｂの閉成位置における先端部の間の上方には入賞を阻止するための障害釘１９の一部である３本の阻止釘３２が打ち込まれている。従って、大入賞口３０が閉成状態にある場合は、遊技球が大入賞口３０に入賞することはない。
【００４２】
第１の実施の形態の第３種パチンコ機である遊技機１では、上記のような構成を備えるため、以下のような作用を生じる。以下図１及び図２を参照して説明する。まず、遊技機１に電源が投入されると、図示しない制御部のメモリの初期化や、機械の作動チェックなどのプログラムが実行され、これが終了すれば遊技者が操作可能になる。操作ハンドル８をもって任意角度に回動すれば、タッチセンサにより図示しない発射機構により回動角度に応じた強さで遊技球が発射され、発射された遊技球は外レール１５沿いに上昇し、遊技領域３内へ打ち込まれる。遊技球は多数植設された障害釘１９や電飾風車１３ａ，１３ｂや風車１３ｃ，１３ｄに衝突しながら下降する。途中、入賞口１８ａ〜１８ｅに遊技球が入賞すると遊技機１の背面に設けられた図示しない払出装置により所定個数の賞品球としての遊技球が上皿６に払い出される。入賞口１８ａ〜１８ｅ、第３種始動口２０、大入賞口３０、普通電動役物６０のいずれにも入賞しなかった遊技球は内レール１６沿いの最下部に設けられたアウト孔１４より遊技機１の裏面に排出される。
【００４３】
振り分け装置７０に遊技球が流入すると、遊技球検出センサ９１（図３参照）を遊技球が通過し、遊技球検出センサ９１からの信号を受けて、図示しない制御部は抽選用のループカウンタにより抽選を行う。その結果に基づいて図柄表示装置１１の液晶画面の一部が分割されて表示される画面Ｌ１，Ｌ２，Ｌ３がそれぞれ所定の１２種類の図柄を順次表示する変動表示（例えば上から下方向へのスクロール）が開始される。この間、所定時間（例えば８秒）経過後、左図柄（画面Ｌ１）・右図柄（画面Ｌ３）・中図柄（画面Ｌ２）の順で停止させて所定の抽選結果に応じた図柄を表示させる。左図柄と右図柄が同図柄であった場合、中図柄の変動時間を長くしたり、画面Ｌ１，Ｌ２，Ｌ３以外の画面で漫画のキャラクターの表示をしたりする所謂リーチアクションを行い、遊技者に普通電動役物６０が開放するという期待感を抱かせ、興味を持たせる。前述の抽選にはずれている場合は、３桁の図柄が異なり「はずれ」の表示がなされる。一方、抽選に当たっているときには３桁の図柄が同じものに揃い（例えば７−７−７のように）、普通電動役物６０の扉６１が開成状態に変位して所定時間（例えば６秒）開放する。開放中に入賞した遊技球が特別装置作動領域（所謂Ｖゾーン）である特定領域６３を通過すると「当たり」となり、遊技者は有利な「特別遊技状態」を享受する権利が発生し、「権利発生状態」に入る。
【００４４】
具体的には、権利発生状態では、図２に示す遊技領域３の右側に配置された第３種始動口２０と大入賞口３０とから構成される入賞装置の連動が始動する。つまり、当たり（権利発生状態）中に第３種始動口２０に遊技球が入賞すると、この入賞に連動して大入賞口３０が１０秒間あるいは１０個遊技球が入賞するまで開放する。これを１ラウンドといい、第３種始動口２０に１６個の遊技球が入賞するまで、即ち１６ラウンドが繰り返される当たり状態（権利発生状態）となる。
【００４５】
但し、権利発生状態は、当たり中に遊技球が特定領域６３を通過してしまった場合、権利が消滅し、その時点で権利発生状態が終了してしまう。従って、それ以降は、第３種始動口２０へ遊技球が入賞しても、大入賞口３０が開放することはない。そのため、権利発生状態においては、操作ハンドル８（図１参照）を右にいっぱい回転させて、最大限の発射力で遊技球を発射し、遊技球を外レール１５に沿わせてゴム部材１７に当てる。そうすることにより、ゴム部材１７に衝突した遊技球は大きく弾発せず、ゴム部材１７の下方に遊技球が集中して流下する。ここでは、このような操作法を「右打ち」と呼ぶことにする。このように右打ちすることで、第３種始動口２０や大入賞口３０に自然に入賞するような遊技球の流れとするように障害釘１９、電飾風車１３ｂ、風車１３ｄが配置されて構成されている。従って右打ちをすることにより、図柄始動ゲート１２を通過させたり、更に、新たに特定領域６３を通過させて権利を消滅させることも少なくなる。
【００４６】
ここで、振り分け装置７０の作用について詳述する。ここで、図６の（ａ）〜（ｅ）は、振り分け装置７０の図３におけるＣ−Ｃ部分での正面から見た断面図である。まず、図６の（ａ）は、振り分け装置７０に遊技球が流入する前の状態を示す図である。この場合、回動部７１は正面から見て右回転（時計回り）して、姿勢維持手段の一部である磁石７６ｂが、図４に示すカバー７７の磁石８２と相対して、磁力により回動して傾斜した状態を維持している。この位置では、案内板７２は、流入する遊技球を第１の方向である図において左方向に案内するように位置する。そのため、この状態で遊技球の流入があれば、遊技球は第１の球受け部７３に進入することになる。
【００４７】
図６の（ａ）の状態から、遊技球Ｂ１が開口部７８から流入すると、遊技球検出センサ９１を通過して、図示しない制御部に通過の信号を発する。そして、遊技球Ｂ１は、案内板７２に案内されて第１の方向に進み第１の球受け部７３に進入する。図６の（ｂ）は遊技球が第１の球受け部７３に進入した状態を示す図である。このとき、遊技球Ｂ１は第１の球受け部７３を付勢し、この力は、回動部７１を、回動軸７５より図において左の方向、即ちここでいう第１の方向へ付勢する力となり、回動部７１は、回動軸７５を中心に左回転（反時計回り）のモーメントが与えられる。
【００４８】
この左回転のモーメントにより、磁石７６ｂと磁石８２とが引き合う磁力に打ち勝って、回動部７１は回動軸７５を中心に左回転する。磁力を振り切って左回転し始めると、遊技球Ｂ１は、図において左に移動し、さらに左回転のモーメントを強めさらに回転の角速度を高める。そうすると回動部７１の本体部７１ａの内側に配設されている規制部８４と本体部７１ａが当接し、回動部７１がそれ以上回転しないように回転が規制され停止する。図６の（ｃ）は、回動部７１が左回転を停止した状態を示す図である。図６の（ｃ）に示すように、このとき遊技球Ｂ１を載置している第１の球受け部７３の壁面部分が水平よりも図において左下がりに傾斜し、遊技球Ｂ１は外側（図において左側）に移動し、排出口７９から排出される。
【００４９】
図６の（ｄ）は、遊技球Ｂ１が排出された後の状態を示す図である。遊技球Ｂ１が排出されて、回動部７１は、遊技球からの力を受けなくなるが、このときには磁石７６ａが、図４に示すカバー７７の磁石８２と相対して、磁力により傾動した状態を維持しているため、回動部７１の位置は変化しない。この位置では、案内板７２は、流入する遊技球を第２の方向である図において右方向に案内するように位置する。そのため、この状態で遊技球の流入があれば、遊技球は第２の球受け部７４に進入することになる。
【００５０】
図６の（ｄ）の状態から、新たに遊技球Ｂ２が開口部７８から流入すると、遊技球検出センサ９１を通過して、図示しない制御部に通過の信号を発する。そして、遊技球Ｂ２は、案内板７２に案内されて第２の方向に進み第２の球受け部７４に進入する。その後上述の左回転と同様に回動部７１は、回動軸７５を中心に右回転（時計回り）のモーメントが与えられ右回転する。この回転は、規制部８４により規制されて停止する。
【００５１】
ここで、図６の（ｅ）は、回動部７１が右回転を停止した状態を示す図である。この位置においては、第２の球受け部７４が、取付基板８３に穿設された入賞口８６の位置と一致し、遊技球Ｂ２を載置している第２の球受け部７４の壁面部分が水平よりも図において遊技機１の裏面側（図において向こう側）に傾斜しているため、この後、遊技球Ｂ２は遊技機１の裏面側（図において向こう側）に移動し、入賞口８６から球経路８７（図５参照）を通って入賞される。遊技球Ｂ２が入賞されて、第２の球受け部７４から退去すると、図６の（ａ）の状態に戻り、次の遊技球が流入すれば上述の動作が繰り返される。
【００５２】
以上本発明の第１の実施の形態の遊技機１は、以上述べたような構成及び作用を有するため、以下のような効果がある。
即ち、振り分け装置７０は、流入した遊技球を相互に入賞あるいは排出できるため確実に１／２の割合で遊技球を振り分けることができるという効果がある。  また、この振り分けは、障害釘１９の調整のような煩雑な調整が不要で、また従来の振り子式の振り分け装置のように遊技機の傾きに左右されることがないため、遊技機を管理する手間が不要となるという効果がある。
【００５３】
（第２の実施の形態）
次に、本発明の第２の実施の形態について説明する。図７は、本実施の形態の遊技機１０１の遊技領域３を示す図である。図７に示すように、第１の実施の形態の遊技機１とは、第３種始動口である振り分け装置１７０と大入賞口３０から構成される入賞装置と、図柄始動ゲート１２と、入賞口１８ｆとが異なるのみで、他の部分は共通な構成である。そのため、異なる部分のみを別の符号を用いて説明をし、共通な部分については共通の符号を用いて先の第１の実施の形態の遊技機１の説明を本実施の形態の遊技機１０１の説明に代えて省略する。
【００５４】
まず、遊技領域３の略中央部に設けられた図柄表示装置１１の垂直下方には、第１の実施の形態の遊技機１では振り分け装置が設けられていたが、第２の実施の形態の遊技機１０１では、図柄始動ゲート１２が設けられ、その垂直下方には通常の入賞口１８ｆが設けられている。
【００５５】
図柄始動ゲート１２は、スルータイプの通過ゲートで、遊技球が図柄始動ゲート１２を通過すると、ここに配設された遊技球検出センサ（図示せず）を同時に通過する。この遊技球検出センサは、振り分け装置７０に備えられる遊技球検出センサ９１と同一の構成のものである。従って、図柄始動ゲート１２を通過した遊技球は、制御部により検知されることになる。図柄始動ゲート１２を遊技球が通過した信号を制御部が受け取ると、制御部でループカウンタによる抽選が行われ、その抽選の結果に基づいて図柄表示装置１１の図柄が変動し表示される。なお、図柄始動ゲート１２を遊技球が通過しても賞球は払い出されない。
【００５６】
図柄始動ゲート１２の垂直下方には、入賞口１８ｆが設けられる。図柄始動ゲート１２と入賞口１８ｆの間には複数の障害釘１９が設けられ、図柄始動ゲート１２を通過した遊技球を障害釘１９の調整により、およそ１／２の割合で入賞させる。もちろん、この入賞の確率は偶然性が高く、安定した割合で入賞させることは困難であることは先に述べた通りである。
【００５７】
遊技領域３の右側の略中央には、第１の実施の形態に用いたような回転体２１を備える従来の第３種始動口２０に代え、本発明に係る振り分け装置を用いた第３種始動口１７０が配置される。また、その垂直下方には、第１の実施の形態と同様な大入賞口３０が設けられ、これらにより第２の実施の形態における入賞装置が構成される。なお、遊技領域３の表面に配置される部分以外にも、遊技盤９の裏面に配置される作動部材も第１の実施の形態と異なる構成になっているが、詳しくは後述する。
【００５８】
図１３に示すように、本発明に係る振り分け装置を第３種始動口１７０として用いる。なお、図１３においては、説明のため、第３種始動口１７０を図８におけるＥ−Ｅ部分での断面図で表している（図１５において同じ）。以下、本発明に係る振り分け装置を用いた第３種始動口１７０を詳説する。
【００５９】
まず、図８は、第３種始動口１７０を図７における正面右上方向から見た斜視図である。従って、図８の左下手前方向が遊技機１０１の正面側、右上向こう側が遊技機１０１の裏側に当たる。第３種始動口１７０は、取付基板１８３の正面側にカバー１７７が配置される。
【００６０】
カバー１７７は、高強度の合成樹脂から形成され、正面側に略円形の正面パネル１７７ａと側面に略円筒形側面パネル１７７ｂとを備えた略円柱形に構成される。
【００６１】
図９は、カバー１７７のみを図７における裏面左上方向から見た斜視図である。図９に示すように、このカバー１７７内部は中空に形成され、裏面は開放されており、側面パネル１７７ｂの上部は、開口部１７８が開口される。正面パネル１７７ａの裏面の略中央には、回動軸１７５（図１２参照）を軸支するための軸受け１８１が穿設されている。軸受け１８１の下方には永久磁石からなる磁石１８２が配設されている。そして、側面パネル１７７ｂの裏面側には、取付基板１８３に接着する場合の位置決め用のボス１８０ａ，１８０ｂ，１８０ｃが設けられている。
【００６２】
図１０は、第２の実施の形態における第３種入賞口１７０を図７における裏面左上方向からみた斜視図である。図１０に示すように取付基板１８３には、その中央部に左右に並べて左の入賞口１８６ａと右の入賞口１８６ｂとが穿設され、第３種始動口１７０が遊技盤９（図７参照）に組み付けられたときに、遊技盤９に穿設されている入賞用の孔に連通するものであり、遊技球を遊技機１０１の表面から裏面に移動させ入賞させる。さらにこの左右の入賞口１８６ａ，１８６ｂから遊技機１０１の裏面に遊技球を案内する上部が開放した半割円筒状の樋状の左の球経路１８７ａと右の球経路１８７ｂが架設されている。
【００６３】
なお、図１０の第３種入賞口１７０には、作動部材の一部となる、上アーム４３ａが球経路１８７ｂの下に配設される。上アーム４３ａは、第３種入賞口１７０と一体的に設けられた支持部３９に配設された軸４４ａ（図１４参照）に軸支されて遊技盤９に対して垂直に（図１０の右上奥から左下手前に）配置される。上アーム４３ａの奥側端部（図１０において左下手前）は略垂直に正面から見て左方向（図１０において右下手前）に突出する２本の棒状の部材からなる上連結部４６ａが設けられている。この上連結部４６ａは、突出した２本の部材により、上プランジャ４２ａの上フランジ部４８ａ（図１４参照）を握持して上プランジャ４２ａの動きに連動するように連結するものである。
【００６４】
また、この上アーム４３ａの正面側端部に、略垂直上方向に屈曲されて形成された阻止突起４５（図１４参照）が配設されるが、この阻止突起４５を右の球経路１８７ｂの下方から突出させる孔４９が、右の球経路１８７ｂの底部に穿設されている。
【００６５】
取付基板１８３の左右の端部には、取付基板１８３を半円状に拡大し、その中央部にネジ止め用の孔を穿設して形成された係止孔１８５ａ，１８５ｂが配設されている。この係止孔１８５ａ，１８５ｂにより取付基板１８３が遊技機１０１の遊技盤９にネジ止めされる。
【００６６】
図１１は、回動部１７１のみを図７における裏面左上方向から見た斜視図である。回動部１７１の本体部１７１ａは、図に示すような第１の実施の形態と同様な断面形状が遊技球の外径のおよそ３倍の直径を持つ円の一部からなる三日月状で、その高さが遊技球の外径よりやや高い柱体の形状に形成され、本体部１７１ａは内部が貫通孔１７１ｂの部分を除き中空に形成され、裏面方向は開放しているは同様であるが、おもり部１７１ｃが形成され、第２の球受け部１７４側の質量が大きくなるように形成されていることが異なる。
【００６７】
本体部１７１ａには、第１の実施の形態の回動部７１と同様に、案内板１７２を備える。また同様に第１の球受け部１７３と第２の球受け部１７４が形成される。
【００６８】
上述のように、本体部１７１ａの第１の球受け部１７３側には、本体部１７１ａの正面側（図１１において左上奥側）の壁面が厚く形成され、質量が大きくなるようにおもり部１７１ｃが構成されている。そのため、貫通軸１７１ｂで回動軸１７５により自由な状態で軸支した場合は、質量の最も大きい第１の球受け部１７３側の本体部１７１ａは下降し、質量の小さい第２の球受け部１７４側の本体部１７１ａは上昇し、質量の特に小さい案内板１７２は本体部１７１ａの動きに追従する。従って、回動部１７１は、回動軸１７５により自由な状態で軸支した場合は、図１１に示すように正面から見て右回転（時計回り方向）に回動してその状態を維持する。
【００６９】
図１２は、第３種始動口１７０を図７における正面右上方向から見た分解斜視図である。図１２に示すように、カバー１７７の内部には、回動部１７１が配設される。
【００７０】
回動部１７１には、第１の球受け部１７３と第２の球受け部１７４（以下球受け部１７３，１７４と適宜略記する。）が設けられ、それぞれ遊技球を保持しやすいように遊技球の外径に合わせた形状になっている。そしてここに遊技球を保持した場合には、カバー１７７の側面パネル１７７ｂと干渉しないで回動できるようになっている。
【００７１】
本体部１７１ａの正面側には、それぞれの回動方向に最大限に傾動した場合に、図９に示すカバー１７７に設けられた磁石１８２と相対する位置に、磁石１７６ａ，１７６ｂが配設される。この磁石１７６ａ，１７６ｂは、それぞれカバー１７７の磁石１８２と相対した場合に、磁力により引きつけられるように極性が合わせられる。又、その時の吸引力の強さは、遊技球と無関係に傾動させた場合にその位置を維持するのには十分な強さであって、遊技球が球受け部１７３，１７４に受け入れられた場合には回動部１７１が回動可能な強さに調整されている。
【００７２】
回動部１７１は、一端をカバー１７７側の軸受け１８１（図９参照）に、他の一端を取付基板１８３の軸受け１８８に軸支された回動軸１７５が、案内板１７２の基部近傍に穿設された貫通孔１７１ｂに貫通されて回動自由に支持されている。
【００７３】
取付基板１８３には、第１の実施の形態の取付基板８３の規制部８４（図５参照）と同様な規制部１８４が設けられる。
【００７４】
また、取付基板１８３には、カバー１７７を組み付けた時に、カバー１７７に備えられたボス１８０ａ，１８０ｂ，１８０ｃ（図９参照）にそれぞれ対応する位置に、ボス１８０ａ，１８０ｂ，１８０ｃが嵌入するボス孔１９０ａ，１９０ｂ，１９０ｃが穿設されている。
【００７５】
なお本実施の形態の第３種始動口１７０には、本来の第３種パチンコ機としての第３種始動口の他に、振り分け装置などの付帯的な部分を含んで構成されている。このように構成された第３種始動口１７０の作用は、主として、第３種始動口１７０に流入した遊技球のうち、本来の第３種始動口に遊技球を１つおきに入賞させるものであり、本来の第３種始動口に入賞できなかった遊技球は単なる通常の入賞口への入賞として扱われ、他の入賞口１８ａ〜１８ｅと同様に入賞の数に応じた賞球が払い出される。以下、図１７、図１８を参照して本実施の形態の第３種始動口１７０の作用を詳述する。
【００７６】
図１７は、本実施形態の振り分け装置を用いた第３種始動口１７０の図８におけるＥ−Ｅ部分で正面から見た断面図である。図１７（ａ）は、第３種始動口１７０に遊技球が流入する前の状態を示す図である。この状態では案内板１７２は、遊技球を第２の球受け部１７４に案内するように回動部１７１が図において左回転している。尚、遊技球がない場合に案内板１７２が開口部１７８を塞ぎ、遊技球の流入を阻害することがないように、本実施の形態では、本体部１７１ａの第１の球受け部１７３側の部分が重くなっておもり部１７１ｃ（図１１参照）を備えているので、図１７（ａ）に示すように本体部１７１ａの第１の球受け部１７３側の部分を下にした状態で安定する。この状態では、さらに磁石１７６ａとカバー１７７の正面パネル１７７ａ裏面に配置された磁石１８２（図９参照）との磁力で固定されている。
【００７７】
図１７（ｂ）は、遊技球Ｂ５が第２の球受け部１７４に進入した状態を示す図である。図１７（ｂ）に示すように、遊技球Ｂ５は、開口部１７８を通って流入すると、案内板１７２に案内されて第２の球受け部１７４に進入する。このとき遊技球Ｂ５の重量が第２の球受け部１７４にかかり本体部１７１ａを付勢し、その結果、磁石１７６ａ及び磁石１８２（図示せず）の磁力と、おもり部１７１ｃ（図示せず）の重量により固定されていた回動部１７１の姿勢が図において右回転（時計回り）に、回転を始める。
【００７８】
図１７（ｃ）は、回動部１７１が右向きに回転をしている途中の状態を示す図である。図１７（ｃ）に示すように回動部１７１は、矢印で示す右向きに回転する。
【００７９】
図１８（ｄ）は、大入賞口３０の開成状態において、規制部１８４に本体部１７１ａが当接して回動部１７１の回転が停止した状態を示す。大入賞口３０が開成状態にあるときに、図１４に示すように、右の球経路１８７ｂに阻止突起４５が突出して遊技球Ｂ５が、第２の球受け部１７４から右の球経路１８７ｂへの移動が阻止され、且つ遊技球Ｂ５は、第２の球受け部１７４から右の入賞口１８６ｂを経て、右の球経路１８７ｂに進入しようとするが阻止突起４５により移動を阻止された位置で、回動部１７１の回動を阻止する。従って、図１８（ｄ）の状態からは、大入賞口３０が閉成するまで、変化することがない。なお、図１８（ｄ）の状態から、第１の球受け部１７３に遊技球が流入しても、回動部１７１は、第２の球受け部１７４に保持された遊技球Ｂ５によりのその回動を阻害されているので、そのままの位置で第１の球受け部１７３に遊技球を保持することになる。
【００８０】
図１８（ｅ）は、図１８（ｄ）の状態から大入賞口３０が閉成した時の状態を示す図である。大入賞口３０が閉成状態になれば、阻止突起４５が右の球経路１８７ｂから退去し（図１４参照）、図１６に示すように遊技球が入賞できる状態になる。そのため、遊技球Ｂ５は、第２の球受け部１７４と右入賞口１８６ｂとの中間位置から、右の球経路１８７ｂの中へ入賞し、図１８（ｄ）の状態から遊技球Ｂ５がなくなる。
【００８１】
図１８（ｆ）は、さらに、新たな遊技球Ｂ６が流入する前の状態を示す図である。この状態は、図１８（ｅ）の状態を維持するものである。即ち、回動部１７１の位置は磁石１７６ｂと磁石１８２（図９参照）の磁力により維持される。即ち、おもり部１７１ｃ（図１１参照）に起因する左回転のモーメントより、磁石１７６ｂと磁石１８２による固定力の方が大きく設定されている。なお、案内板１７２は、このときは第１の球受け部に案内する位置になっている。そして、図１８（ｇ）は、遊技球Ｂ６が流入し、回動部１７１が左回転している状態を示す図である。この状態は、図１７（ｃ）と回転方向が異なる以外は同様の状態で、図１７（ａ）の状態で停止する。なお、図１８（ｄ）において前述のように２つの遊技球を保持している場合は、遊技球Ｂ５の入賞とともに、直ちに図１８（ｇ）に示す状態に移行することになる。
【００８２】
次に、大入賞口３０は、第３種始動口２０の略垂直下方に設けられているが、大入賞口３０自体は、第１の実施の形態の遊技機１と同様のものを用いているため、遊技機１０１の大入賞口３０の説明は遊技機１の大入賞口３０の説明に代えて省略する。
【００８３】
図１３は、前述のように大入賞口３０が開成状態の遊技機１０１の入賞装置を正面から見た図である。また、図１４は、図１３におけるａ１−ａ１部分での断面図である。なお、説明の便宜上第３種始動口１７０の遊技盤９の正面側表面を境に、それより裏面側の部分はａ２−ａ２部分での断面となっている。図１５は、大入賞口３０が閉成状態の遊技機１０１の入賞装置を正面から見た図である。また、図１６は、図１５におけるｂ１−ｂ１部分での断面図である。なお、同様に第３種始動口１７０の遊技盤９の正面側表面を境に、それより裏面側の右の球経路１８７ｂを含む部分はｂ２−ｂ２部分での断面となっている。以下図１３、図１４、図１５、図１６を参照して遊技機１０１の入賞装置について説明する。
【００８４】
まず第３種始動口１７０と大入賞口３０を連動させる作動部材の構成について説明をする。図１４に示すように、第３種始動口１７０と大入賞口３０の中間位置に当たる遊技盤９の裏面側（図右側）には、ソレノイド４１が配設され、ソレノイド４１は、所定の極性の直流電圧が印加されることで、円筒状の金属棒からなるプランジャ４２を上下方向に移動させてその端部を上方向又は下方向に突出可能に構成されている。
【００８５】
図１５及び図１６に示す大入賞口３０は、閉成状態である。図１６に示すように、このときソレノイド４１は、電圧を印加されないＯＦＦ状態で、プランジャ４２の上側端部である上プランジャ４２ａが突出し、下側端部である下プランジャ４２ｂはソレノイド内に大半が格納された状態となる。上プランジャ４２ａは、その端部がフランジ状に加工されている上フランジ部４８ａを有し、同様に下プランジャ４２ｂは下フランジ部４８ｂを有する。
【００８６】
球経路１８７の下方にこれと平行に、即ち遊技盤９に垂直に貫通孔が穿設され、この中に棒状あるいは平板状に形成された金属製の上アーム４３ａが配設される。この上アーム４３ａは、前述のように略中央部を遊技盤９と平行且つ水平な（紙面と垂直な）上軸４４ａにより揺動可能に軸支されており、上アーム４３ａの奥側（図右側）は、上プランジャ４２ａの上フランジ部４８ａを握持可能な２本の突起部材からなる係止部材により構成された上連結部４６ａで上フランジ部４８ａを握持するように遊嵌している。従って、プランジャ４２が上下に変位するとこれに伴って上アーム４３ａが上軸４４ａを中心に回動して変位する。
【００８７】
この上アーム４３ａの正面側（図左側）の端部は上方に向かって略Ｌ字形に加工され、阻止突起４５が形成されている。ソレノイド４１がＯＦＦ状態では、阻止突起４５の先端は、右の球経路１８７ｂの直近下方であって、遊技盤９の表面（図左側）に近い位置に待機されて、遊技球の移動の障害にはならない位置になっている。
【００８８】
一方、大入賞口３０の裏面は、図１６に示すように遊技盤９に垂直に孔が穿設され、この中に棒状に形成された金属製の一対の下左アーム４３ｂ，下右アーム４３ｃ（図示せず）が遊技球の直径よりもやや大きな距離離間されて平行に配設される。この下左アーム４３ｂ，下右アーム４３ｃ（図示せず）は、略中央部を遊技盤９と平行且つ水平な（紙面と垂直な）下左軸４４ｂ，下右軸４４ｃ（図示せず）によりそれぞれ揺動可能に軸支されており、下左アーム４３ｂ，下右アーム４３ｃの奥側（図右側）は下連結部４６ｂが設けられ、下左アーム４３ｂ，下右アーム４３ｃが連動するようになっている。下プランジャ４２ｂの下フランジ部４８ｂを握持可能な２本の棒状部材からなる係止部材を有し下連結部４６ｂが、下プランジャ４２ｂの下フランジ部４８ｂを遊嵌している。従って、プランジャ４２が上下に変位するに従って、下連結部４６ｂを介して下左アーム４３ｂ及び下右アーム４３ｃも下左軸４４ｂ及び下右軸４４ｃを中心に回動して変位する。
【００８９】
一方、下左アーム４３ｂ，下右アーム４３ｃの正面側（図左側）の端部は，左開閉部材３１ａ，右開閉部材３１ｂの２本の左回動軸３５ａ，右回動軸３５ｂの配置された位置のそれぞれ内側部分に左開閉部材３１ａ，右開閉部材３１ｂの下端部を押し上げ可能に当接される左当接部４７ａ，右当接部４７ｂ（図示せず）が設けられる。なお、左開閉部材３１ａ，右開閉部材３１ｂは、重力によって閉成方向に付勢されているため、これを下左アーム４３ｂ，下右アーム４３ｃで押し上げない限り閉成状態を維持するように構成される。なお、スプリングなどにより積極的に付勢するように構成してもよい。
【００９０】
図１６に示すように、ソレノイド４１に電圧が印加されてないＯＦＦ状態では、上プランジャ４２ａの上フランジ部４８ａに上アーム４３ａが連結され、上軸４４ａを中心として回動して略水平な状態にされており、上アーム４３ａの先端に設けられた阻止突起４５は右の球経路１８７ｂには突出できず、図１５に示す第２の球受け部１７４に一旦停留した遊技球は、阻止突起４５により入賞を阻止されることなく、右の入賞口１８６ｂから右の球経路１８７ｂを通過して入賞が可能となっている。
【００９１】
また、ソレノイド４１がＯＦＦ状態では、下左軸４４ｂ，下右軸４４ｃ（図示せず）を中心として回動する一対の下左アーム４３ｂ，下右アーム４３ｃ（図示せず）が、下プランジャ４２ｂに連結されて前下がり（図左側が下方）になっているため、下左アーム４３ｂ，下右アーム４３ｃ（図示せず）先端の左当接部４７ａ，右当接部４７ｂ（図示せず）は左開閉部材３１ａ，右開閉部材３１ｂを押し上げることなく、閉成状態となって遊技球の入賞を拒絶する。
【００９２】
次に、図１５、図１６に示すソレノイド４１がＯＦＦの状態において、遊技球が第３種始動口１７０の右の入賞口１８６ｂに入賞すると、阻止突起４５に阻止されず右の球経路１８７ｂを通過するが、この際右の球経路１８７ｂの途中に設けられた遊技球検出センサ２５により遊技球の通過が検出されて、検出信号が図示しない制御部に伝えられ、図示しない払出装置により賞球が払い出される。それと同時に、この検出信号により制御部は大入賞口３０を開放して次のラウンドを開始させる。そして、第３種始動口への入賞回数が最初の入賞も含め制御部においてカウントされる。
【００９３】
遊技球が右の入賞口１８６ｂに入賞すると、図１４に示すように、図示しない制御部により、ソレノイド４１に電圧が印加されＯＮの状態になり、図１４に示すように、プランジャ４２が下向きに移動し、第３種始動口１７０近傍の上アーム４３ａは、上軸４４ａを中心に回動して前上がり（図左側が上方）に変位して、上アーム４３ａの先端に設けられた阻止突起４５は、右の球経路１８７ｂに穿設された孔４９に進入し、第２の球受け部１７４から右の球経路１８７ｂに遊技球Ｂ４が移動するのを阻止する位置に変位する。
【００９４】
そのため、第３種始動口１７０の開口部１７８から遊技球Ｂ４が流入しても第２の球受け部１７４と右の球経路１８７ｂの中間位置で遊技球Ｂ４が阻止されて停留し、入賞は拒絶される。また、この位置では、回動部１７１の回動を遊技球Ｂ４が阻害するので、回動部１７１は回動ができない状態となる。
【００９５】
また、ソレノイド４１がＯＮの状態では、図１４に示すようにプランジャ４２が下向きに移動し、大入賞口３０近傍の下左アーム４３ｂ、下右アーム４３ｃ（図示せず）の左当接部４７ａ，右当接部４７ｂは左開閉部材３１ａ，右開閉部材３１ｂ（図示せず）をそれぞれ押し上げ、図１３に示すように左回動軸３５ａ，右回動軸３５ｂ（図示せず）を軸に回動し、開成状態に変位する。従って、遊技球は大入賞口３０に容易に入賞することができる状態になる。
【００９６】
また、第３種始動口１７０の右の入賞口１８７ｂに遊技球が入賞すると、制御部のカウンターにより入賞回数がカウントされる。且つ、制御部においてタイマーにより大入賞口３０の開放時間が測定が開始される。そして、制御部において、最大入賞個数の１０個の大入賞口３０への入賞回数をカウントするか、あるいは最高開放時間である１０秒を経過したと判断すると、制御部は、ソレノイド４１に印加していた電圧の印加を停止して、大入賞口３０の開閉部材３１を図１３、図１４に示す開成状態から図１５、図１６に示す閉成状態に変位させる。
【００９７】
ここで、１ラウンドが終了し、大入賞口３０が閉成状態になると、図１６に示すように第３種始動口１７０の第２の球受け部１７４と右の球経路１８７ｂの中間に停留している遊技球Ｂ３の移動を阻止していた阻止突起４５を、遊技球の移動を阻止しない状態に変位させ、遊技球の右の入賞口１８７ｂへの入賞が許容されるようになる。
【００９８】
従って、１ラウンドが終了し、第３種始動口１７０の第２の球受け部１７４と球経路１８７ｂの中間に停留している遊技球があれば、阻止突起４５が退去すれば球経路１８７から直ちに遊技球が入賞し、次の１ラウンドが開始される。また、第２の球受け部１７４と球経路１８７ｂの中間に停留されている遊技球がなければ第３種始動口１７０の開口部１７８から第２の球受け部１７４に新たに遊技球が流入してから、次の１ラウンドが開始されることになる。
【００９９】
次に、上記のように構成された第２の実施の形態の作用について説明する。なお既に説明した第１の実施の形態の遊技機１と共通する部分の作用については、遊技機１においての作用の説明を遊技機１０１の作用の説明に代えて省略する。また、図柄始動ゲート１２及び入賞口１８ｆについても第１の実施の形態で説明したためここでは説明をしない。従って、第１の実施の形態の遊技機１とその作用が異なる入賞装置、特に第３種始動口１７０の作用を中心に説明する。
【０１００】
なお、第２の実施の形態の遊技機１０１の作用を説明する前に，比較のため、まず従来の回転体を用いた第３種始動口について簡単に説明する。第１の実施の形態の遊技機１において説明した第３種始動口２０（図２参照）のようにおよそ１０秒で１回転する回転体２１を備え、ここの案内部２２に遊技球を搬送させてから入賞するようにしているため、大入賞口３０が開成状態にある場合は、決して第３種始動口２０から入賞するようなことはなかった。
【０１０１】
しかしながら、大入賞口３０に１００発／１分のペースで遊技球が発射されているとすると、６秒で１０発の遊技球が発射可能になり、この１０発がすべて大入賞口３０に入賞すれば、およそ６秒で大入賞口の最大入賞個数に達してしまうので、最高開放時間１０秒の経過前であっても、６秒で大入賞口３０は閉成状態になってしまう。次の遊技球が回転体２１の案内部２２にすでに保持搬送されているとしても、後４秒待たなければ、次のラウンドには移行しない。このとき、回転体２１の上に、次の更に次ぎに第３種始動口２０に入賞すべき遊技球が載置されてなければ、この４秒においては、遊技者が遊技球を右打ちして第３種始動口２０に向けて発射して回転体２１の上に遊技球を流入させる必要がある。
【０１０２】
しかしながら、回転体２１の上に、更に次の第３種始動口２０に入賞すべき遊技球が既に載置されていれば、この４秒においては、遊技者が遊技球を右打ちして発射しても入賞、載置すべき場所はなく、また右打ちしないで盤面中央部を中心に遊技球を発射すれば、図柄始動ゲート１２を遊技球が通過して図柄表示装置１１に表示されている図柄が変動して所定の組み合わせになり普通電動役物６０の扉６１が開放された場合に、遊技球が特定領域６３に入賞してしまうと、現在享受している権利発生状態は終了してしまい、且つ次の権利が発生することもない。従って、遊技者は遊技球の発射を停止しなければ大きな不利益を被ることもある。
【０１０３】
そのため、遊技者は、一旦遊技球の発射を中止することが遊技者の利益になるが、このような複雑なルールを知らない初心者などは、無駄に遊技球を発射して遊技球を無駄に消費したり、権利を消滅させて不利益を被ったりし、また、ルールをよく知っている遊技者においても、ゲームが一旦中断してしまい、興味をそがれたり、ゲームの流れを阻害してリズムを崩して不快になってしまうこともあった。
【０１０４】
遊技機１０１において、従来と同様権利が発生し権利発生状態になると、入賞装置は図１６に示すように、第３種始動口１７０への遊技球の受け入れを許容し、流入した遊技球は開口部１７８から第２の球受け部１７４に進入するが、右の球経路１８７ｂ下部に穿設された孔４９から阻止突起４５が突出していないため、第２の球受け部１７４と右の球経路１８７ｂの中間位置に遊技球は停留させられることなく右の球経路１８７ｂを通過すると遊技球検出センサ２５により入賞が検出されて図示しない制御部に報知される。
【０１０５】
制御部は、右の入賞口１８６ｂへの入賞を検知すると、新たなラウンドを開始するためソレノイド４１に電圧を印加してＯＮ状態にする。図１４に示すようにプランジャ４２が下降し、図１３に示すように、大入賞口３０の開閉部材３１が展開して、大入賞口３０が開成状態になる。大入賞口３０が開成状態になると同時に、図１４に示すように阻止突起４５が孔４９から右の球経路１８７ｂ内に突出し、新たに開口部１７８から流入する遊技球を右の入賞口１８６ｂからの入賞を拒絶する。従って、第３種始動口１７０には、連続して遊技球が入賞することがない。
【０１０６】
また、第２の球受け部１７４と右の球経路１８７ｂの中間位置には、ラウンド継続中に遊技球が流入したばあいに、図１３、図１４に示すように阻止突起４５により遊技球を１つ保持可能である。この第２の球受け部１７４と右の球経路１８７ｂの中間位置に保持された遊技球は、当該ラウンドが終了して、大入賞口３０が閉成状態に変位すると同時に、図１６に示すように阻止突起４５が右の球経路１８７ｂから退去し、第２の球受け部１７４と右の球経路１８７ｂの中間位置に停留していた遊技球は直ちに入賞する。そして速やかに次のラウンドを開始できる。
【０１０７】
ここでもし遊技機１に備えられた回転体２１や、遊技機１０１に備えられた振り分け装置が第３種始動口に備えられていなかった場合を考える。この場合では、遊技球は待機されたり振り分けられることなく連続して流入することができる。そのためこの阻止突起４５だけで連続して流入する遊技球のうち、先に流入する遊技球のみを通過させ後に流入する遊技球の進入を阻止する必要がある。しかしながら、右の球経路１８７ｂの遊技球検出センサ２５を先の遊技球が通過すると、図示しない制御部により、通過の信号を受け取ると共に、ソレノイド４１に電圧を印加することでプランジャ４２を下げて、連結された上アーム４３ａを回動させ、阻止突起４５を右の球経路１８７ｂに突出させる必要があり、先に遊技球が流入してから一定の時間が必要である。従って、通常では先の遊技球が右の球経路１８７ｂ通過した後、阻止突起４５が突出して、後の遊技球の進入を阻止するが、ほとんど連続して遊技球が流入したような場合では、先の遊技球が右の球経路１８７ｂを通過してから、後の遊技球が通過する前に阻止突起４５を突出させて阻止できず、後の遊技球が通過してしまう場合が生じうる。
【０１０８】
第２の実施の形態の第３種始動口１７０では、上述の振り分け装置を備えるため、遊技球が連続して第３種始動口として入賞する右入賞口１８６ｂに連続して入賞するようなことがなく、ラウンド継続中には、第３種始動口１７０には、重ねて入賞することはない。従って、そのラウンドの利益を損なうようなことがない。
【０１０９】
また、最高開放時間である１０秒以内に、大入賞口３０に遊技球が最大入賞個数である１０個入賞した場合、そのラウンドが終了したとき第２の球受け部１７４に遊技球が保持されていれば直ちに次のラウンドに移行することができる。そのため、遊技者はそのまま右打ちを行っていればよく、無駄な球を発射したり、途中で遊技球の発射を停止するような必要がない。
【０１１０】
さらに、そのラウンドが終了するまでに、第２の球受け部１７４に遊技球を保持させることができなかった場合でも、引き続き右打ちをして、第２の球受け部１７４に遊技球を流入させることができれば、遊技球は直ちに入賞し、直ちに次のラウンドが開始される。そのため、遊技者は遊技球が次のラウンドのために第３種始動口２０に入るのを待っている必要もない。なお、案内板１７２の位置によっては、第１の球受け部１７３に先に遊技球が案内されないと、第２の球受け部１７４に遊技球が案内されない場合もあるが、この場合でも通常の入賞口と同様の賞球があるため、無駄な遊技球の消費ではない。
【０１１１】
なお、権利が発生していない通常状態では、第３種始動口１７０は、大入賞口３０とは連動しないので、第３種始動口１７０に入賞しても単に通常の入賞口として機能し、入賞数に応じた所定の賞球の払出を行うだけである。
【０１１２】
以上の説明から明らかなように、第２の実施の形態の遊技機１０１は、上記のような構成及び作用を備えるため、以下のような効果がある。即ち、第３種パチンコ機において、第３種始動口１７０の開口部１７８に流入した遊技球の入賞を１／２の割合で許容することができ、且つ連続した入賞を確実に防止することができる。そして、次に入賞すべき遊技球を第２の球受け部１７４に保持しておくこともでき、遊技者が無駄な待ち時間を費やすことなく円滑で快適なゲームを行うことができる。
【０１１３】
（第３の実施の形態）
次に本発明の第３の実施の形態の遊技機２０１（図示せず）について説明する。この第３の実施の形態の遊技機２０１では、第２の実施の形態の遊技機１０１と第３種始動口１７０の部分の構成が異なるのみであるので、他の部分の構成は遊技機１０１における説明を遊技機２０１の説明に代えて省略する。以下第３の実施の形態の第３種始動口２７０の構成について説明する。
【０１１４】
図１９は、第３の実施の形態における第３種始動口２７０を図８と同じ方向から見た斜視図である。遊技機１０１とは、排出口２７９を備えることと、左の入賞口１８６ａ及び左の球経路１８７ａを有しない点で異なる。図２０は、カバー２７７のみを図９と同じ方向から見た斜視図である。図２０に示すように、カバー２７７は、側面パネル２７７ｂの正面から見て左側（図２０右下手前）に遊技球を排出する排出口２７９が形成されている。図２１は、第３の実施の形態における第３種始動口２７０を図１０と同じ方向から見た斜視図である。図２１に示すように、第３種始動口２７０には、正面から見て右側（図２１左上向う側）に、右の入賞口２８６ｂとこれに連設された右の球経路２８７ｂが配設されるだけで、正面から見て左側（図２１右下手前）には、遊技機１０１の第３種始動口１７０の左の入賞口１８６ａ及び左の球経路１８７ａに相当する部分がなく、取付基板２８３のその部分は閉じた状態になっている。図２２は、回動部２７１のみを図１１と同じ方向から見た斜視図である。回動部２７１は、遊技機１の回動部７１（図５及び図６参照）と同様の構成のものである。図２３は、第３種始動口２７０を図１２と同じ方向から見た分解斜視図であり、先に述べた差異以外は、遊技機１０１の第３種始動口１７０と同様の構成である。なお、第３種始動口２７０は、その開口部２７８に、第３の遊技球を保持可能に構成されている。
【０１１５】
このように構成された、遊技機２０１の第３種始動口２７０の作用について説明する。図２４（ａ）〜（ｉ）は、第３種始動口２７０を図１７と同様の位置から見た断面図である。
【０１１６】
図２４（ａ）は、第３種始動口２７０の第１の球受け部２７３に遊技球Ｂ７が流入する前の状態を示す図である。この状態では案内板２７２が、遊技球を第１の球受け部２７３に案内する位置になっている。この状態から遊技球Ｂ７が流入すると、案内板２７２により、第１の球受け部２７３に遊技球Ｂ７が受け入れられ、回動部２７１が左回転をする。図２４（ｂ）は、回動部２７１が左回転して遊技球Ｂ７が排出され、新たな遊技球Ｂ８が流入する前の状態を示す図である。この状態で、遊技球Ｂ７は排出口２７９から外部に排出される。図２４（ｃ）は、遊技球Ｂ８が、第２の球受け部２７４に進入した状態を示す図である。遊技球Ｂ８が第２の球受け部２７４に進入すると、回動部２７１は付勢されて右回転をする。ここでは、即ち、図示しない大入賞口３０が開成状態で、図示しない阻止突起４５が右の球経路２８７ｂに突出しているものとする。図２４（ｄ）は、回動部２７１が右向きに回転をした後、遊技球Ｂ８を停留させて停止している状態を示す図である。この場合は、図２４（ｄ）に示すように、第２の球受け部２７４に保持された遊技球は回動部２７１が右回転して、右の入賞口２８６ｂの位置まで移動しても、遊技球Ｂ８は、第２の球受け部２７４と右の球経路２８７ｂの中間位置で停留させられる。図２４（ｅ）は、図２４（ｄ）に示す状態から、遊技球Ｂ９が、更に第１の球受け部２７４に受け入れられた状態を示す図である。このように、新たな遊技球Ｂ９が進入しても、回動部２７１は遊技球Ｂ８によりその回動を阻害されているため、回動部２７１は回動することなく停止している。図２４（ｆ）は、更に、新たな遊技球Ｂ１０が遊技球Ｂ９の上に保持された状態を示す図である。前述のように、回動部２７１は、大入賞口３０が閉成状態になるまでは遊技球Ｂ８は入賞できないためその回動が阻止され、また前述のように遊技球Ｂ９の上の開口部２７８の周縁に、遊技球Ｂ１０が保持できるように構成されているため、遊技球Ｂ１０が保持される。
【０１１７】
図２５（ｇ）は、遊技球Ｂ８が入賞し、回動部２７１が左回転を始めた状態を示す図である。大入賞口３０が閉成状態になると、阻止突起４５が右の球経路２８７ｂから退去し、遊技球Ｂ８が右の入賞口２８６ｂに入賞可能になる。遊技球Ｂ８の入賞により、回動部２７１が回動可能になるため、回動部２７１は、遊技球Ｂ９，Ｂ１０の重さで左回転する。図２５（ｈ）は、回動部２７１が左回転し、遊技球Ｂ９が排出口２７９から排出されるとともに、遊技球Ｂ１０が第２の球受け部２７４に受け入れられた状態を示す図である。Ｂ９が排出されると、重量バランスが変わり、排出と同時に、第２の球受け部２７４に受け入れられた遊技球Ｂ１０により回動部２７１は右に反転する。図２５（ｉ）は、図２５（ｈ）に示す状態から、回動部２７１が右回転し、遊技球Ｂ１０が第２の球受け部２７４に阻止突起により阻止されている状態を示す図である。即ち、遊技球Ｂ８が入賞してから、Ｂ１０は、Ｂ９の排出を行ってから、第２の球受け部２７４に受け入れられて右の入賞口２８６ｂの位置まで移動する。そのため、遊技球Ｂ８が入賞し、前述のソレノイド４１が作動し阻止突起４５が右の球経路２８７ｂに突出させて入賞を阻止する間での時間は十分に確保される。
【０１１８】
第３の実施の形態の遊技機２０１は、上記のような構成及び作用を備えるため、以下のような効果がある。即ち、第３種始動口２７０の開口部２７８に流入した遊技球の内、実際に第３種始動口への入賞となる確率を、正確に１／２に制限することができるという効果がある。そして、入賞しなかった遊技球は排出され、賞球を制限できるという効果がある。また、第１の球受け部２７３及び第２の球受け部２７４に保持した遊技球に加え、開口部２７８に第３の遊技球を保持でき、１回目のラウンドが終了して第２の球受け部２７４に保持された遊技球が入賞し２回目のラウンドが開始されると、速やかに第２の球受け部２７４に移動し、次の３回目のラウンドを開始させるために入賞させるべき遊技球を待機させておくことができるという効果がある。そのため、入賞装置での１のラウンドが終了すると、直ちに次のラウンドを開始できる。さらに、振り分け装置と作動装置の作用が相俟って、遊技球を第３種始動口に連続させて入賞させるようなこともない。
【０１１９】
以上、実施の形態に基づき本発明を説明したが、本発明は上述した実施形態に何ら限定されるものではなく、本発明の趣旨を逸脱しない範囲で種々の改良変更が可能であることは容易に推察できるものである。
【０１２０】
例えば、遊技機は第３種パチンコ機に限定されない。従って、他の形式のパチンコ機にももちろん適用でき、さらにパチンコ機に限定されず遊技球を用いて、遊技球を入賞させることで遊技する遊技機であれば広く適用できる。
【０１２１】
また、回動部を始めとする各種部材・装置の形状、数量、設定時間、作動順序等は適宜変更できることはいうまでもない。例えば、カバーを用いず、回動部だけを用いて振り分け装置を構成してもよい。本体部の形状も、三日月状に限らず天秤状のものや他の様々な形状が採用できる。回動軸の位置も、例えば下端部にあるようなものでもよい。案内部材も、板状のものに限定されず遊技球が案内可能であれば如何なる形状のものでもよい。
【０１２２】
また、姿勢維持手段は、磁力によるものや重力によるものの他、摩擦や物理的な掛止等その手段は問わず姿勢が維持できるものであればよい。
【０１２３】
【発明の効果】
上記説明から明らかなように、請求項１に係る発明の遊技球の振り分け装置では、ケース部材の開口部から入った遊技球を交互に第１の方向と、第２の方向に振り分けることができる。そのため、第１の球受け部に受け入れられた遊技球は排出口から遊技盤上に排出され、第２の球受け部に受け入れられた遊技球は、遊技盤の裏面に移動させ入賞させることができる。従って、確実に１／２の確率で遊技球を入賞させることができ、また、同方向に連続して遊技球を流下させないという効果を奏する。さらに、阻止手段を備えることで、遊技球の入賞を制御できるという効果がある。また、遊技球を前記第１又は第２の球受け部の所定位置に保持することで本体部の回動を規制し、さらに、遊技球が保持された球受け部以外の球受け部にも遊技球を進入させることができるという効果もある。そして、阻止手段による遊技球の入賞又は排出が阻止されなくなっても、遊技球が連続して同一方向に案内されることがなく、連続して処理されることによる遊技球の処理のトラブルを防止することができるという効果を奏する。
【０１２４】
【０１２５】
【０１２６】
【０１２７】
【０１２８】
請求項２に係る発明の遊技球の振り分け装置では、遊技球を交互に第１の方向と、第２の方向に振り分けることができると共に、阻止手段を備えることで、遊技球の入賞を制御できるという効果がある。また、遊技球を前記第１又は第２の球受け部の所定位置に保持することで本体部の回動を規制し、さらに、遊技球が保持された球受け部以外の球受け部にも遊技球を進入させることができるという効果もある。そして、阻止手段による遊技球の入賞又は排出が阻止されなくなっても、遊技球が連続して同一方向に案内されることがなく、連続して処理されることによる遊技球の処理のトラブルを防止することができるという効果もある。
【０１２９】
請求項３係る発明の遊技球の振り分け装置では、請求項１又は２に記載の遊技球の振り分け装置の効果に加え、第１の球受け部と第２の球受け部に保持された遊技球に加え、さらにもう１つの遊技球を保持して、連続して処理をすることができるという効果がある。また、この場合に同一方向に連続して遊技球が案内されることがなく、同一方向に案内される遊技球の処理に一定の時間的間隔ができるため、これらの遊技球についてそれぞれ異なった処理を確実にすることができるという効果がある。
【０１３０】
請求項４に係る発明の遊技球の振り分け装置を備えた遊技機では、請求項１乃至３のいずれかに記載の遊技球の振り分け装置を備えたことを特徴とする遊技球の振り分け装置を備えた遊技機であるため、請求項１乃至３のいずれかに記載された遊技球の振り分け装置の効果を生かした、遊技機を実現できる。
【図面の簡単な説明】
【図１】第１の実施の形態の遊技機１の正面全体を示す図である。
【図２】第１の実施の形態の遊技機１の遊技領域３を示す図である。
【図３】第１の実施の形態における振り分け装置７０を図２における正面右上方向から見た斜視図である。
【図４】カバー７７のみを図２における裏面左上方向から見た斜視図である。
【図５】振り分け装置７０を図２における正面右上方向から見た分解斜視図である。
【図６】振り分け装置７０の図３におけるＣ−Ｃ部分での正面から見た断面図である。
（ａ）  振り分け装置７０に遊技球が流入する前の状態を示す図である。
（ｂ）  遊技球が第１の球受け部７３に進入した状態を示す図である。
（ｃ）  回動部７１が左回転を停止した状態を示す図である。
（ｄ）  遊技球Ｂ１が排出された後の状態を示す図である。
（ｅ）  回動部７１が右回転を停止した状態を示す図である。
【図７】第２の実施の形態の遊技機１０１の遊技領域３を示す図である。
【図８】第２の実施の形態における第３種入賞口１７０を図７における正面右上方向から見た斜視図である。
【図９】カバー１７７のみを図７における裏面左上方向から見た斜視図である。
【図１０】第２の実施の形態における第３種入賞口１７０を図７における裏面左上方向から見た斜視図である。
【図１１】回動部１７１のみを図７における裏面左上方向から見た斜視図である。
【図１２】第３種始動口１７０を図７における正面右上方向から見た分解斜視図である。
【図１３】大入賞口３０が開成状態の遊技機１０１の入賞装置を正面から見た図である。
【図１４】図１３におけるａ１−ａ１部分での断面図である。
【図１５】大入賞口３０が閉成状態の遊技機１０１の入賞装置を正面から見た図である。
【図１６】図１５におけるｂ１−ｂ１部分での断面図である。
【図１７】第３種始動口１７０の図８におけるＥ−Ｅ部分で正面から見た断面図である。
（ａ）  第３種始動口１７０に遊技球が流入する前の状態を示す図である。
（ｂ）  遊技球が第２の球受け部に進入した状態を示す図である。
（ｃ）  回動部１７１が右向きに回転をしている途中の状態を示す図である。
【図１８】第３種始動口１７０の図８におけるＥ−Ｅ部分で正面から見た断面図である。
（ｄ）  大入賞口３０の開成状態において、規制部１８４に本体部１７１ａが当接して回動部１７１の回転が停止した状態を示す。
（ｅ）  図１８（ｄ）の状態から大入賞口３０が閉成した時の状態を示す図である。
（ｆ）  更に、新たな遊技球が流入する前の状態を示す図である。
（ｇ）  遊技球Ｂ６が流入し、回動部１７１が左回転している状態を示す図である。
【図１９】第３の実施の形態における第３種始動口２７０を図８と同じ方向から見た斜視図である。
【図２０】カバー２７７のみを図９と同じ方向から見た斜視図である。
【図２１】第３の実施の形態における第３種始動口２７０を図１０と同じ方向から見た斜視図である。
【図２２】回動部２７１のみを図１１と同じ方向から見た斜視図である。
【図２３】第３種始動口２７０を図１２と同じ方向から見た分解斜視図である。
【図２４】第３種始動口２７０を図１７と同じ位置から見た断面図である。
（ａ）  第３種始動口２７０の第１の球受け部２７３に遊技球Ｂ７が流入する前の状態を示す図である。
（ｂ）  回動部２７１が左回転して遊技球Ｂ７が排出され、新たな遊技球Ｂ８が流入する前の状態を示す図である。
（ｃ）  遊技球Ｂ８が、第２の球受け部２７４に進入した状態を示す図である。
（ｄ）  回動部２７１が右向きに回転をした後、遊技球Ｂ８を停留させて停止している状態を示す図である。
（ｅ）  （ｄ）に示す状態から、遊技球Ｂ９が、更に第１の球受け部２７３に受け入れられた状態を示す図である。
（ｆ）  更に、新たな遊技球Ｂ１０が遊技球Ｂ９の上に保持された状態を示す図である。
【図２５】第３種始動口２７０を図１７と同じ位置から見た断面図である
（ｇ）  遊技球Ｂ８が入賞し、回動部２７１が左回転を始めた状態を示す図である。
（ｈ）  回動部２７１が左回転し、遊技球Ｂ９が排出口２７９から排出されるとともに、遊技球Ｂ１０が第２の球受け部２７４に受け入れられた状態を示す図である。
（ｉ）  （ｈ）に示す状態から、回動部２７１が右回転し、遊技球Ｂ１０が第２の球受け部２７４に阻止突起により阻止されている状態を示す図である。
【図２６】従来の振り分け装置を示す図である。
（ａ）振り分け装置４７０が傾いた状態を示す図である。
（ｂ）遊技球の流下経路が、片寄った状態を示す図である。
（ｃ）遊技機自体が傾いた状態を示す図である。
【符号の説明】
１，１０１，２０１  遊技機
３  遊技領域
４５  阻止突起
７０  振り分け装置
１７０，２７０  第３種始動口（振り分け装置）
７１，１７１，２７１  回動部
７２，０７２，２７２  案内板（案内部材）
７３，１７３，２７３  第１の球受け部
７４，１７４，２７４  第２の球受け部
７５，１７５，２７５  回動軸
７６ａ，７２ｂ，８２，１７６ａ，１７６ｂ，１８２  磁石（姿勢維持手段）
７７，１７７，２７７  カバー（ケース部材）
７８，１７８，２７８  開口部
７９，２７９  排出口
８１，８８，１８１，１８８  軸受け
８３，１８３，２８３  取付基板
８４，１８４，２８４  規制部
８６，１８６ａ，１８６ｂ，２８６ｂ  入賞口
８７，１８７ａ，１８７ｂ，２８７ｂ  球経路
【図１】
0003574089.tif 000002
【図２】
0003574089.tif 000003
【図３】
0003574089.tif 000004
【図４】
0003574089.tif 000005
【図５】
0003574089.tif 000006
【図６】
0003574089.tif 000007
【図７】
0003574089.tif 000008
【図８】
0003574089.tif 000009
【図９】
0003574089.tif 000010
【図１０】
0003574089.tif 000011
【図１１】
0003574089.tif 000012
【図１２】
0003574089.tif 000013
【図１３】
0003574089.tif 000014
【図１４】
0003574089.tif 000015
【図１５】
0003574089.tif 000016
【図１６】
0003574089.tif 000017
【図１７】
0003574089.tif 000018
【図１８】
0003574089.tif 000019
【図１９】
0003574089.tif 000020
【図２０】
0003574089.tif 000021
【図２１】
0003574089.tif 000022
【図２２】
0003574089.tif 000023
【図２３】
0003574089.tif 000024
【図２４】
0003574089.tif 000025
【図２５】
0003574089.tif 000026
【図２６】
0003574089.tif 000027